(57)【要約】【課題】  磁気テープに大きな湾曲を付与することなく、磁気テープの良好な巻き姿を得ることができる磁気テープ巻取装置および磁気テープ巻取方法を提供すること。【解決手段】  磁気テープ巻取装置３は、エッジ方向に湾曲した磁気テープ１をフランジ付きテープリール４に巻き取る際に、テープリール４のフランジ４ａに隣接して磁石５を配置して、前記磁気テープ１を巻き取る。磁石５は、湾曲した磁気テープ１の短い方のエッジ１ｃ側に配置されている。【選択図】      図２
2006196130.tif 000002
【特許請求の範囲】
【請求項１】
エッジ方向に湾曲した磁気テープをテープリールに巻き取る際に、前記テープリールのフランジに隣接して磁石を配置して、前記磁気テープを巻き取る磁気テープ巻取装置であって、
前記磁石は、前記湾曲した磁気テープの短い方のエッジ側に配置されていること
を特徴とする磁気テープ巻取装置。
【請求項２】
エッジ方向に湾曲した磁気テープをテープリールに巻き取る際に、前記テープリールのフランジに隣接して磁石を配置して、前記磁気テープを巻き取る磁気テープ巻取方法であって、
前記磁石を、前記湾曲した磁気テープの短い方のエッジ側に配置して前記磁気テープの巻き取りを行うこと
を特徴とする磁気テープ巻取方法。
【請求項３】
エッジ方向に湾曲した磁気テープをテープリールに巻き取る際に、前記テープリールのフランジに隣接して磁石を配置して、前記磁気テープを巻き取る磁気テープ巻取方法であって、
前記湾曲した磁気テープを、短い方のエッジが前記磁石の側になるように配置して、前記磁気テープの巻き取りを行うこと
を特徴とする磁気テープ巻取方法。
【請求項４】
前記磁気テープは、湾曲極性が正または負のいずれか一方向になるように、巻取面がテーパ状のハブに巻き取り熱処理した後、前記テープリールに巻き取られること
を特徴とする請求項２または請求項３に記載の磁気テープ巻取方法。
【発明の詳細な説明】
【技術分野】
【０００１】
本発明は、テープリールに巻き取られる磁気記録テープ(以下、単に「磁気テープ」という)の巻き乱れを改善することができる磁気テープ巻取装置および磁気テープ巻取方法に関する。
【背景技術】
【０００２】
近年、磁気テープは、記憶容量の増大に伴い高記録密度化され、さらに、薄層化および平滑化が進んでいる。特に、データバックアップ用の磁気テープでは、コンピュータの大容量化に伴って、磁気テープの記録容量が大容量となっている。このため、磁気テープは、記録密度を高めることが必要であり、トラックピッチを小さくしなければならない。
【０００３】
ところで、この磁気テープをテープワインダ、または、ドライブにおいて、テープリールに巻き取る際、巻き乱れが発生し易いことが知られている。
このような磁気テープの巻き乱れは、輸送中に磁気テープのエッジにダメージを与え易い。また、磁気テープは、巻き乱れがある場合、保管中に悪い巻き癖が付き、ドライブ内でのテープ走行精度に悪影響を与え、サーボトラッキングの異常の原因となる。
このため、出荷時の巻き姿品質の確保およびドライブ内での巻き乱れが発生しない磁気テープを製造することは、商品の要求性能を保証する上で重要となっている。
【０００４】
そのため、この磁気テープを製造する際の磁気テープ巻取装置（テープワインダ）、または、ドライブにおいては、磁気テープをフランジ付きテープリールに巻き取るときに、巻き乱れを解消することが要求される。特に、磁気テープを高速で巻き取るときには、巻き乱れが発生し易いため、巻き乱れ防止手段が不可欠となっている。
【０００５】
このような磁気テープの巻き乱れを解決するために、テープリールのフランジに磁石を設置して、この磁石を配置したフランジ側に磁気テープを磁力で寄せ付けて巻き取ることにより、磁気テープの巻き乱れの発生を防止する磁気テープ巻取装置が開示されている（例えば、特許文献１参照）。
【０００６】
また、磁気テープをテーパ形状のリールハブ（以下、単に「ハブ」という）に巻き付けて所定温度で保管して熱処理することにより、磁気テープを湾曲させて、テープリールに巻き取ったときに一方のフランジ側に寄って巻き取られるようにした磁気テープの巻き姿改善処理方法が開示されている（例えば、特許文献２および特許文献３参照）。
【特許文献１】特開平１−３１３２３８号公報
【特許文献２】特開２００４−１６４８０８号公報
【特許文献３】特開２００４−２８０９２０号公報
【発明の開示】
【発明が解決しようとする課題】
【０００７】
前記した特許文献１の磁気テープ巻取装置は、磁気テープの磁性層の厚さが厚い場合には、巻き姿に乱れが生じず効果的である。しかしながら、現在の最新の磁気テープでは、磁性層の厚みが０．３μｍ以下であり、１０年前の１／１０以下の厚さになっている。このため、特許文献１の磁気テープ巻取装置では、磁性層が極薄の磁気テープを巻き取っている最中に、磁気テープを磁石で吸引したとしても、磁気テープの磁石の逆方向にかかる力が磁力より大きいと、巻き乱れ防止の効果が望めないという問題点がある。
【０００８】
また、特許文献２および３の磁気テープの巻き姿改善処理方法では、湾曲形成された磁気テープの湾曲値が大きい場合には、磁気テープを幅方向の片側に寄せる力が発生する。この場合、フランジ付きのテープリールでは、フランジに沿って磁気テープを巻き取ることが可能であるが、１枚〜数枚の微小な飛び出し現象を完全に抑えることができないという問題点がある。
【０００９】
さらに、この特許文献２および特許文献３では、磁気テープの湾曲値が大きい場合、整巻き効果が大きくなる。しかしながら、磁気テープを長時間走行させると、エッジがフランジに比較的強く摺接することによりダメージを受け、これに起因して微小な塵埃が発生する。このため、大きく湾曲形成された磁気テープでは、この塵埃により、サーボエラーおよびDrop  Out（データ落ち）が増加するという問題点がある。
そして、サーボエラーが増加すると、磁気テープに記録されたデータの読み取りができなくなるという問題点がある。
【００１０】
本発明は、このような背景に鑑みてなされたものであり、磁気テープに大きな湾曲を付与することなく、磁気テープの良好な巻き姿を得ることができる磁気テープ巻取装置および磁気テープ巻取方法を提供することを課題とする。
【課題を解決するための手段】
【００１１】
前記した課題を解決するため、請求項１に記載の磁気テープ巻取装置は、エッジ方向に湾曲した磁気テープをテープリールに巻き取る際に、前記テープリールのフランジに隣接して磁石を配置して、前記磁気テープを巻き取る磁気テープ巻取装置であって、前記磁石は、前記湾曲した磁気テープの短い方のエッジ側に配置されていることを特徴とする。
なお、短い方のエッジとは、湾曲した磁気テープの内側の縁である。
【００１２】
請求項２に記載の磁気テープ巻取方法は、エッジ方向に湾曲した磁気テープをテープリールに巻き取る際に、前記テープリールのフランジに隣接して磁石を配置して、前記磁気テープを巻き取る磁気テープ巻取方法であって、前記磁石を、前記湾曲した磁気テープの短い方のエッジ側に配置して前記磁気テープの巻き取りを行うことを特徴とする。
【００１３】
請求項３に記載の磁気テープ巻取方法は、エッジ方向に湾曲した磁気テープをテープリールに巻き取る際に、前記テープリールのフランジに隣接して磁石を配置して、前記磁気テープを巻き取る磁気テープ巻取方法であって、前記湾曲した磁気テープを、短い方のエッジが前記磁石の側になるように配置して、前記磁気テープの巻き取りを行うことを特徴とする。
【００１４】
請求項１、請求項２および請求項３に記載の発明によれば、磁気テープは、エッジ方向に湾曲した状態に形成されている。これにより、磁気テープは、テープリールに巻き取られる際に、短い方のエッジ側のテンションが高い状態で巻き取られるため、短い方のエッジ側がテープリールのフランジに寄るように巻かれる。
さらに、この磁気テープの巻取装置は、短い方のエッジ側に磁石が配置されていることにより、磁石が磁気テープを磁力によって吸引するため、磁気テープの短い方のエッジ側がテープリールのフランジに寄った状態に巻き取る。
つまり、磁気テープは、この磁気テープの湾曲による弾性と磁石の磁力とによって、常に、短い方のエッジ側がテープリールのフランジに寄るように、適宜な力によって引き寄せられて巻かれるようになる。
そして、磁性層の厚さが極薄で、僅かに湾曲した磁気テープを高速で回転して巻き取った場合であっても、その磁気テープは、巻き癖と磁石の磁力によって、磁気テープの短い方のエッジ側のフランジに寄るように巻かれるため、精度よく安定した状態でテープリールに巻き取られる。
このため、例えば、磁性層の厚さが０．１μｍの磁気テープであったとしても、微小な飛び出し現象、サーボエラーおよびDrop  Out（データ落ち）を防止することが可能となる。
【００１５】
請求項４に記載の磁気テープ巻取方法は、請求項２または請求項３に記載の磁気テープ巻取方法であって、前記磁気テープは、湾曲極性が正または負のいずれか一方向になるように、巻取面がテーパ状のハブに巻き取り熱処理した後、前記テープリールに巻き取られることを特徴とする。
なお、湾曲極性とは、磁気テープがテープの幅方向に湾曲している方向をいう。例えば、磁気テープが上方向に湾曲した状態（図３参照）を正（プラス）方向の湾曲（プラス極性）とし、磁気テープが下方向に湾曲した状態を負（マイナス）方向の湾曲（マイナス極性）とする。
【００１６】
請求項４に記載の発明によれば、磁気テープは、巻取面がテーパ状のハブに巻き取り熱処理することにより、湾曲極性が正または負のいずれか一方向になるように湾曲した形状が付与される。その後、磁気テープは、テープリールに巻き取られることにより、常に、短い方のエッジ側のテンションが高い状態で巻き取られるため、短い方のエッジ側のフランジに寄るように、巻き取られる。
【００１７】
なお、磁石は、ネオジウム磁石、または、強力な磁力を発生し得る電磁石からなるとともに、磁気テープの巻き玉より大きな直径でなることが好ましい。
このように構成することにより、磁石は、磁力によって磁気テープを磁石が配置されている側のフランジに、さらに効果的に吸引させてテープリールに巻き取らせることができるようになる。
【００１８】
また、磁石から磁気テープの巻き玉までの距離は、０．５〜１０．０ｍｍが好ましい。
このように構成することにより、磁石は、磁力によって磁気テープを磁石が配置されている側のフランジに、効果的な磁力よって吸引してテープリールに巻き取らせることができるようになる。なお、前記距離は、近いほど効果が高い。
【発明の効果】
【００１９】
本発明の磁気テープ巻取装置および磁気テープ巻取方法によれば、湾曲した磁気テープを、短い方のエッジ側に配置した磁石で吸引しながら磁気テープを巻き取ることにより、喩え、湾曲値が小さな磁気テープであっても、常に、一定の巻き姿で、巻き乱れが発生することなく、精度よく巻き取ることができる。
このため、例えば、磁性層の厚さが薄く、記憶容量が大容量で、トラックの本数が多い磁気テープであっても、磁気テープを巻き取るときの微小な飛び出し現象を防止できるため、サーボエラーおよびDrop  Out（データ落ち）を防止することが可能となる。
【発明を実施するための最良の形態】
【００２０】
次に、本発明を実施するための最良の形態（以下、単に「実施形態」という）について、適宜図面を参照しながら詳細に説明する。
なお、本発明において、磁気テープは、配置したときの向きによって上下および表裏の方向が変わるが、便宜上、図２および図３に示す上側を「上」、下側を「下」として説明する。
【００２１】
図１は、本発明の実施形態に係る磁気テープ巻取方法を示す工程図である。図２は、本発明の実施形態に係る磁気テープ巻取装置を示す概略図である。図３は、本発明の実施形態に係る磁気テープの湾曲値を示す説明図である。
なお、図１〜図３において、バルクロール６、パンケーキ７および磁気テープ１は、湾曲部分およびテーパ部分を示すために、その箇所の形状を誇張して図示してある。
【００２２】
≪磁気テープ≫
図１に示す磁気テープ１は、例えば、コンピュータの記憶媒体として使用されるテープであり、主として、図示しない非磁性のベースフィルムと、磁性層とから形成されている。この磁気テープ１は、後記するように、樽型に巻き取られた磁気テープ原反１ｂが、スリッタ装置２で所定のテープ幅に裁断されて、湾曲極性が正または負のいずれか一方向になるように巻き取れられたパンケーキ７を、熱処理工程（図示せず）で湾曲する巻き癖を付けた後、磁気テープ巻取装置３によってテープリール４に巻き取られる。
【００２３】
＜ベースフィルム＞
ベースフィルム（図示せず）は、例えば、ポリエチレンテレフタレート（ＰＥＴ）やポリエチレンナフタレート（ＰＥＮ）やアラミドなどを原料として形成されている。なお、ベースフィルムは、加工性や機械特性に優れ、コストが低いポリエステル類を用いることが望ましい。また、強度、剛性および耐熱性がポリエチレンテレフタレート（ＰＥＴ）よりも高いポリエチレンナフタレート（ＰＥＮ）を用いることがさらに望ましい。
【００２４】
＜磁性層＞
磁性層は、磁性粉末、結合剤および有機溶剤を磁性粉末が均一に分散するまで混合させて調製した磁性塗料を、非磁性のベースフィルムに塗布することにより形成される。あるいは、磁性層は、金属、合金等の強磁性材を、真空蒸着やスパッタリングなどの手段でベースフィルムに被着することにより形成される。なお、ベースフィルム上の磁性層の厚みは、幅方向にムラがある。
【００２５】
≪磁気テープの製造方法≫
次に、図１を参照して磁気テープ巻取装置３が使用される磁気テープ１の製造方法について説明する。
図１に示すように、ベースフィルムから形成される磁気テープ１を、磁気テープカートリッジ（図示せず）の構成部品であるテープリール４に所定量巻き取るまでの磁気テープ１の製造工程は、次のようになっている。
【００２６】
≪塗布工程、配向工程、乾燥工程、カレンダ処理工程、バルクロール巻取工程≫
まず、巻回されたベースフィルムを巻き解き、図示しない塗布工程、配向工程、乾燥工程、カレンダ処理工程を経て製造された幅広の磁気テープ原反１ｂを、バルクロール巻取工程（図示せず）で巻芯６ａに巻き取り、バルクロール６にする。この際、塗布工程でベースフィルムの一方の面に、磁性粉末が溶剤中に分散された磁気塗料を塗布し、また、製品によっては、ベースフィルムの他方の面にバックコート層を塗布することにより、バルクロール６の表面は、磁気塗料の塗装ムラによって波状になっている。このバルクロール６は、図１に示すように、スリッタ装置２の送り出しリールに設置される。
【００２７】
≪スリット工程≫
次に、スリット工程１５で、スリッタ装置２によって、この磁気テープ原反１ｂが最終的に製品化されるその製品（磁気テープカートリッジ）の規格で定められたテープ幅に裁断される。このように製造された磁気テープ１は、前記バルクロール６の形状および塗装ムラによる厚みに起因して、バルクロール６の幅方向の各所の厚さにムラある形状をしている。
【００２８】
≪パンケーキ巻取工程≫
このスリット工程１５で所定寸法のテープ幅に裁断された各磁気テープ１は、次に、パンケーキ巻取工程１６で、各ハブ７ａにそれぞれ巻き取り、パンケーキ７にする。このパンケーキ７に巻き取られた磁気テープ１は、幅方向の厚さにムラがある形状で、ばらつきがあるため、もともとバルクロール６のどこに位置していたかによって湾曲極性が異なる。
【００２９】
≪巻き返し工程≫
そして、スリット工程１５後のパンケーキ巻取工程１６では、パンケーキ７の幅方向のテーパ量を測定器（図示せず）で測定して、磁気テープ１が所定の湾曲極性（湾曲している方向）でない場合に、巻き玉を別のハブ（図示せず）へ巻き返すことにより、湾曲極性を揃える（巻き返し工程（図示せず））。もっとも、テープリール４に巻き取った際に、磁気テープ１がフランジ４ａ，４ｂ（図２参照）のいずれかに寄っていてもかまわないのであれば、あえて、別のハブへ巻き返す必要はなく、後のテープリール巻取工程１８で湾曲極性に合わせて磁石５（図２参照）を配置し、テープリール４に巻き取ればよい。
【００３０】
図１のバルクロール６の正面図に仮想線で示すように、磁気テープ原反１ｂは、巻芯６ａの巻取面に巻き取られると、塗布した磁性塗料によって波状になっているため、スリッタ装置２で裁断された磁気テープ１の湾曲極性にもムラがある。このため、所望の湾曲極性と反対側に巻かれている磁気テープ原反１ｂは、スリット工程１５後に、パンケーキ７を巻き返して、湾曲極性が揃えられる。
【００３１】
＜パンケーキ、磁気テープの湾曲値＞
ここで、パンケーキ７および磁気テープ１の湾曲値Ｂ（図３参照）について、図２〜図３および表１を参照しながらその一例を説明する。
表１は、磁気テープに湾曲値と磁気テープの上下エッジ半径の比を示す表である。
【００３２】
図２に示すように、パンケーキ７のハブ７ａの直径Ｄは、例えば、１１５ｍｍ以上とし、パンケーキ７の直径Ｃに対するハブ７ａの直径Ｄの比は、０．３〜０．９９（望ましくは、０．５０〜０．９９）とする。
そして、パンケーキ７の大きい方のエッジ（上側のエッジ）７ｂの半径Ｃ１と、小さい方のエッジ（下側のエッジ）７ｃの半径Ｃ２との上下エッジ半径の比Ｒは、磁気テープ１に付与する湾曲値Ｂに対して表１に示すような値とする。なお、湾曲値Ｂは、図３に示すように、巻き解いた磁気テープ１を平面視して、長手方向（矢印Ａ方向）の長さの１ｍの任意地点Ｅ，Ｆにおいて、任意地点Ｅと任意地点Ｆとを結ぶ基準線ｇから磁気テープ１の短い方のエッジ１ｃまでの距離である。
【００３３】
【表１】
2006196130.tif 000003
【００３４】
表１に示すように、湾曲値Ｂが０．５ｍｍ／ｍのときには、パンケーキ７の上下エッジ半径の比Ｒが１．００００７であり、湾曲値Ｂが１．０ｍｍ／ｍのときには、上下エッジ半径の比Ｒが１．０００１０であり、湾曲値Ｂが２．０ｍｍ／ｍのときには、上下エッジ半径の比Ｒが１．０００３０であり、湾曲値Ｂが４．０ｍｍ／ｍのときには、上下エッジ半径の比Ｒが１．０００６０であり、湾曲値Ｂが８．０ｍｍ／ｍのときには、上下エッジ半径の比Ｒが１．００１２０である。
例えば、厚み１８ｍｍのハブ７ａのテーパ量は、表１に従い、直径が２５０ｍｍで、テーパ量は、１８μｍとすればよい。
【００３５】
≪熱処理工程≫
次に、バルクロール巻取工程によって湾曲が付与された磁気テープ１からなるパンケーキ７を、例えば、恒温槽（図示せず）などに所定時間置いて、熱処理工程（図示せず）で、湾曲値Ｂの湾曲形状を付ける。
なお、この熱処理工程での熱処理条件は、熱処理するときの温度をＴ（℃）、熱処理する時間をｔ（Ｈ）、ｋを定数とすると、
ｔ＝ｋ×１０10×Ｔ-5
であることが好ましい。ＰＥＴの場合は、ｋ≧１が好ましい。熱処理の温度Ｔの範囲は、ベースフィルムのガラス転移直下の温度であり、例えば、ＰＥＴやＰＥＮであれば、４０〜６９℃で、好ましくは５５〜６５℃であり、熱処理する時間ｔは、３〜７２時間とする。
【００３６】
なお、熱処理工程（図示せず）を行う装置は、例えば、恒温槽（図示せず）が利用されるが、磁気テープ１を所定の温度で一定時間熱処理することができれば、特に限定しない。また、熱処理の温度Ｔ（℃）や熱処理時間ｔ（Ｈ）は、磁気テープ１のベースフィルムの材料によって相違するため、その材料に合わせて適宜に設定すればよい。
【００３７】
≪サーボ信号書込工程≫
次に、湾曲する巻き癖が付けられた磁気テープ１は、図１に示すように、サーボ信号書込工程１７で、サーボライタ８によって、サーボ信号が書き込まれる。
【００３８】
≪テープリール巻取工程≫
そして、磁気テープ１は、テープワインダと呼ばれる専用の磁気テープ巻取装置３によって、磁気テープ１をテープリール４に所定量巻き取り、切断される。
以上のようにして磁気テープ１は、製造され、テープリール４に巻き取られる。
【００３９】
＜磁気テープ巻取装置＞
次に、パンケーキ７から送り出される磁気テープ１を、テープリール４のハブ４ｃに所定量巻き取る磁気テープ巻取装置３について説明する。
磁気テープ巻取装置３は、図２に示すように、磁気テープ１が巻かれフランジ４ａ，４ａを有するテープリール４と、このテープリール４の筒状のハブ４ｃ内にモータ軸Ｍａを軸挿してテープリール４を回転させるためのモータＭと、テープリール４に巻き付けられる湾曲した磁気テープ１の短い方のエッジ１ｃ側に配置される磁石５と、前記モータＭを駆動させるための電源（図示せず）と、を少なくとも備えてなる。
【００４０】
＜磁石＞
磁石５は、フランジ４ａに隣接して配置されている。磁石５は、磁力によって磁気テープ１をフランジ４ａに、効果的に引き寄せながらテープリール４に巻き取らせるためのものである。湾曲した磁気テープ１は、短い方のエッジ１ｃが磁石５側に配置されている。この磁石５は、例えば、ネオジウム磁石、または、強力な磁力を発生し得る電磁石からなるとともに、テープリール４に巻き取られた磁気テープ１の巻き玉１ｆの直径Ｋより大きな直径Ｎをした円盤状のものからなる。これにより、巻き玉１ｆの外周側でも磁気テープ１が磁石５側に引き付けられながら巻き取られる。
また、磁石５から磁気テープ１の巻き玉１ｆまでの距離Ｌは、０．５〜１０．０ｍｍが好ましい。なお、磁気テープ１を磁石５が配置されている側のフランジ４ａに、効果的な磁力によって吸引して、テープリール４に巻き取るためには、前記距離Ｌが、近いほど効果が高い。
【００４１】
≪磁気テープ巻取装置の作用≫
前記のように磁気テープ１は、図３に示すように、エッジ１ｃ側が短い形で湾曲する巻き癖が付けられている。この磁気テープ１を図２に示すテープリール４に巻き取る際には、磁気テープ１が短い方のエッジ１ｃ側のテンションが高い状態で巻き取られるので、磁気テープ１を磁石５側のフランジ４ａ側に寄った状態で巻き取ることができる。
このため、パンケーキ７から送り出された磁気テープ１を、磁気テープ巻取装置３によって、テープリール４に所定量巻き取るときには、磁気テープ１がテープリール４のハブ４ｃに、常に、所定の巻き姿で巻き取られるようになる。
【００４２】
さらに、パンケーキ７から送り出されエッジ１ｃ方向に凹むように湾曲した磁気テープ１を、磁気テープ巻取装置３によって、テープリール４に所定量巻き取る際には、テープリール４のフランジ４ａに隣接して磁石５を配置して、磁石５の磁力で磁気テープ１をフランジ４ａ側に引き寄せながら巻き取っている。
【００４３】
そうすることにより、前記磁気テープ巻取装置３（テープリール巻取工程１８（図１参照））において、磁気テープ１は、この磁気テープ１が短い方のエッジ１ｃ側に凹んで湾曲していることによる磁気テープ１自身の弾性（巻き癖）と、磁石５の磁力とによって、常に、フランジ４ａに寄るようにして巻き取られる。その結果、磁気テープ巻取装置３でテープリール４に磁気テープ１を巻き取ると、テープリール４が高速回転して巻き取った場合であっても、常時、所望の巻き姿で巻き取ることができるようになり、磁気テープ１の巻き乱れが解消される。
【００４４】
このようにしてテープリール４に巻き取った磁気テープ１を走行させた際は、磁気テープ１が、常に、短い方のエッジ１ｃ側のフランジ４ａに寄った状態で走行するので、例えば、この磁気テープ１を磁気ヘッド上に正確に摺動させることができるようになり、磁気テープ１の走行精度が向上する。
【００４５】
さらに、磁気テープ巻取装置３は、磁気テープ１を巻き取る際に、湾曲した磁気テープ１自身の弾性（巻き癖）を併用することにより、磁石５の磁力が比較的弱いものを使用することが可能となる。そして、磁気テープ１は、大きな湾曲を付与することなく、小さな湾曲があればよくなる。
【００４６】
このため、磁気テープ１は、湾曲による弾性（巻き癖）と磁石５の磁力とでフランジ４ａ側に引き寄されながら巻き取られる際に、湾曲による弾性と磁石５の磁力とによって、磁気テープ１をエッジ１ｃ側に引き寄せる力を適度に調節して、エッジ１ｃがフランジ４ａに当たる力を適切な弱さにできるため、エッジ１ｃがダメージを受けることが解消される。
【００４７】
その結果、例えば、磁性層の厚さが０．３μｍ以下で薄く、１巻当たりの記憶容量が１００ＧＢ以上で、トラックの本数が約４００本の磁気テープ１であったとしても、微小な飛び出し現象を防止でき、これに起因するサーボエラーおよびデータ落ちを防止することが可能となり、磁気テープ１の品質を向上させることができる。
【００４８】
なお、本発明は、前記実施形態に限定されるものではなく、その技術的思想の範囲内で種々の改造および変更が可能であり、本発明はこれら改造および変更された発明にも及ぶことは勿論である。
【００４９】
≪変形例≫
図４は、本発明の実施形態に係る磁気テープ巻取装置の変形例を示す概略図である。なお、前記実施形態で説明したものと同一のものは、同一符号を付記してその説明を省略する。
【００５０】
前記パンケーキ巻取工程１６（図１参照）で、図２に示すような円柱形状のハブ７ａに磁気テープ１を巻き取られてなるパンケーキ７は、前記円柱形状のハブ７ａに巻き取って熱処理工程で熱処理することに限定されるものではない。
【００５１】
例えば、図４に示すように、パンケーキ２０は、前記した湾曲値Ｂに合わせて巻取面がテーパ状に形成されたハブ２０ａに巻き取って、次の熱処理工程（図示せず）で各磁気テープ１に均一な湾曲を定着させることで、巻き癖を付けるようにしてもよい。
【００５２】
すなわち、図１のバルクロール６の正面図に示すように、磁気テープ原反１ｂは、巻芯６ａの巻取面に巻き取られると、この巻取面の中央部と、左右端部とではバルクロール６の外周の湾曲極性およびその程度が相違している。したがって、バルクロール６からスリットして得られる磁気テープ１は、そのスリット位置によって、湾曲値Ｂが相違している。このため、図４に示すような巻取面がテーパ状に形成されたハブ２０ａに巻き取ってから熱処理を施すことによって、それぞれのパンケーキ２０の湾曲値Ｂを一定にすることができる。
【００５３】
パンケーキ２０のハブ２０ａの中央部の直径Ｄは、前記したパンケーキ７のハブ７ａ（図２参照）の直径Ｄと同一である。そして、ハブ２０ａの太い方の半径Ｄ１と、ハブ２０ａの細い方の半径Ｄ２との比は、前記した表１の上下エッジ半径の比Ｒと同一にして、磁気テープ１の湾曲値Ｂに合わせる。
このように、テーパ状のハブ２０ａに巻き取られて熱処理された磁気テープ１は、磁性塗料によってバルクロール巻取工程で波状に付けられた磁気テープ原反１ｂの巻き癖が、テーパ状のハブ２０ａによって一定な湾曲値Ｂに規制されて均一化される。このため、磁気テープ１は、テープリール４に巻き取られるときに、常に、所望の湾曲値Ｂの巻き癖が付与されるので、一定な状態に巻き取られるとともに、この磁気テープ１が引き寄せられる磁石５の磁力の調整を容易にする。
【００５４】
また、磁気テープ１の湾曲極性が正または負のいずれか一方向になる巻き癖を付ける処理は、図１に示すハブ７ａに巻き取ったパンケーキ７を熱処理工程（図示せず）で熱処理して巻き癖を付けることに限定されるものでなく、その方法は特に限定されない。
例えば、バルクロール巻取工程で、磁気テープ原反１ｂが所定の湾曲値Ｂになるように湾曲形成された巻芯６ａの巻取面に巻き取って、バルクロール６を、恒温槽（図示せず）などに所定時間置いて熱処理することにより、磁気テープ原反１ｂに所望の湾曲極性の湾曲する巻き癖を付けるようにしてもよい。
このようにしても、前記した実施形態と同様に磁気テープ１に、エッジ１ｃ，１ｄが所定の方向に湾曲する巻き癖を付けることができる。
【図面の簡単な説明】
【００５５】
【図１】本発明の実施形態に係る磁気テープ巻取方法を示す工程図である。
【図２】本発明の実施形態に係る磁気テープ巻取装置を示す概略図である。
【図３】本発明の実施形態に係る磁気テープの湾曲値を示す説明図である。
【図４】本発明の実施形態に係る磁気テープ巻取装置の変形例を示す概略図である。
【符号の説明】
【００５６】
１      磁気テープ
１ｃ    短い方のエッジ
１ｄ    長い方のエッジ
３      磁気テープ巻取装置
４      テープリール
４ａ，４ｂ  フランジ
４ｃ，７ａ，２０ａ  ハブ
５      磁石
７，２０  パンケーキ
Ｂ      湾曲値
【図１】
2006196130.tif 000004
【図２】
2006196130.tif 000005
【図３】
2006196130.tif 000006
【図４】
2006196130.tif 000007